(57)【要約】【課題】  簡単な構造でケースにカバーを取り付けることが可能なランプを提供する。【解決手段】  実施形態のランプは、筒状のケース１と；ケース１の一端側に配設された支持板２１と；支持板２１の一端側に配置されたＬＥＤ２２と；ケース１に配設されたカバー４と；を具備している。そして、ケース１は、周部１１の内端側に位置する第１の配置部１４、周部１１の外端側に位置し、第１の配置面１４１よりも他端側に凹んでなる第２の配置部１５を備え、カバー４は、開口４１付近に、内端側に突出する突片部４３を備え、支持板２１は、外端面が第１の配置部１４よりも内端側に位置し、カバー４をケース１に配設する際に、突片部４３が他端側に通過することを可能とする第１の端部２１１、外端面が第１の配置部１４の外端面よりも外端側に位置し、第２の配置部１５との間に突片部４３を挟持することを可能とする第２の端部２１２を備えている。【選択図】図５
2014137897.tif 000002
【特許請求の範囲】
【請求項１】
一端側に周部および開口を備える筒状のケースと；
開口をふさぐようにケースに配設された支持板と；
支持板の一端側に配置された光源と；
光源を覆うように、ケースに配設されたカバーと；を具備し、
ケースは、周部の内端側に位置し、一端側に第１の配置面を有する第１の配置部、周部の外端側に位置し、第１の配置面よりも他端側に凹んでなる第２の配置部を備え、
カバーは、他端側に開口を備えるとともに、その開口付近に、内端側に突出する突片部を備え、
支持板は、外端面が第１の配置部の外端面と同じ位置か、それよりも内端側に位置し、カバーをケースに配設する際に、突片部が他端側に通過することを可能とする第１の端部、外端面が第１の配置部の外端面よりも外端側に位置し、第２の配置部との間に突片部を挟持することを可能とする第２の端部を備えていることを特徴とするランプ。
【請求項２】
ケースは、支持板の第１の端部および第２の端部に対応する第２の配置部に、他端側に凹んでなる溝部をさらに備えるとともに、突片部は、溝部に嵌合可能なようにカバーの開口よりも他端側に突出していることを特徴とする請求項１に記載のランプ。
【請求項３】
支持板は、光源を実装する基板であることを特徴とする請求項１または請求項２に記載のランプ。
【請求項４】
第２の端部は、円形状を呈する支持板の端部に形成された切欠によりなることを特徴とする請求項１〜請求項３の何れか一に記載のランプ。
【請求項５】
支持板は、第１の端部および第２の端部をそれぞれ複数備えるとともに、カバーは、突片部を複数備えることを特徴とする請求項１〜請求項４の何れか一に記載のランプ。
【請求項６】
一端側に周部および開口を備えるとともに、周部の内端側に位置し、一端側に配置面を有する第１の配置部、周部の外端側に位置し、配置面よりも他端側に凹んでなる第２の配置部を備える筒状のケースと；
ケースの開口をふさぐように配置面に配置され、外端面が配置部の外端面と同じ位置か、それよりも内端側に位置する第１の端部、外端面が第１の配置部の外端面よりも外端側に位置する第２の端部を備える支持板と；
支持板の一端側に配置された光源と；
他端側に開口を備えるとともに、その開口付近に、内端側に突出する突片部を備え、突片部が第１の端部の外端側を通過したのちに、周回りに回動して第２の配置部と第２の端部の間に挟持されることで、ケースに配設されるカバーと；
を具備することを特徴とするランプ。
【発明の詳細な説明】
【技術分野】
【０００１】
本発明の実施形態は、ランプに関する。
【背景技術】
【０００２】
ランプは、発光ダイオードなどの光源を使用したランプであり、例えば照明や表示用途に使用されている。この種のランプでは、光源の保護や所望の配光
【０００３】
を得るためなどに、ランプの主要部を構成するケースに透明や乳白色のカバーが設けられるのが一般的である。このケースとカバーの接続には、従来、接着や嵌合などの方法が使用されている。
【０００４】
ここで、ランプがＬＥＤ電球の場合、既存のランプの代替として器具に適合する必要があり、寸法に対する制約が大きい。ケースとカバーの接続構造もこの制約の影響を大きく受ける。特に、ダウンライト器具への適合が多いミニクリプトンタイプのランプは小型であるため、従来のケースとカバーの接続構造を採用できないことがある。
【先行技術文献】
【特許文献】
【０００５】
【特許文献１】特開２０１２−５４０７０号公報
【発明の概要】
【発明が解決しようとする課題】
【０００６】
本発明が解決しようとする課題は、簡単な構造でケースにカバーを取り付けることが可能なランプを提供することである。
【課題を解決するための手段】
【０００７】
上記課題を達成するために、実施形態のランプは、一端側に開口を備える筒状のケースと；開口をふさぐようにケースに配設された支持板と；支持板の一端側に配置された光源と；光源を覆うように、ケースに配設されたカバーと；を具備し、ケースは、一端側の外端に位置し、一端側に配置面を有する第１の配置部、第１の配置部よりもさらに外端に位置し、かつ配置面よりも他端側に凹んでなる第２の配置部を備え、カバーは、他端側に開口を備えるとともに、その開口付近に、内端側に突出する突片部を備え、支持板は、外端面が第１の配置部の外端面と同じ位置か、それよりも内端側に位置し、カバーをケースに配設する際に、突片部が他端側に通過することを可能とする第１の端部、外端面が第１の配置部の外端面よりも外端側に位置し、第２の配置部との間に突片部を挟持することを可能とする第２の端部を備えていることを特徴とする。
【図面の簡単な説明】
【０００８】
【図１】第１の実施形態のランプについて説明するための図である。
【図２】第１の実施形態のランプにおいて、カバーを取り外し、一端側から見た状態について説明するための図である。
【図３】第１の実施形態のランプのケースおよび支持板について説明するための図である。
【図４】第１の実施形態のランプのカバーについて説明するための図である。
【図５】ケースへのカバーの取付けについて説明するための図である。
【図６】第２の実施形態のランプについて説明するための図である。
【図７】第３の実施形態のランプについて説明するための図である。
【発明を実施するための形態】
【０００９】
（第１の実施形態）
【００１０】
図１〜図４を参照して、第１の実施形態を説明する。図１は、本発明の第１の実施形態のランプについて説明するための図であり、図２は、第１の実施形態のランプにおいて、カバーを取り外し、一端側から見た状態について説明するための図、図３は、第１の実施形態のランプのケースおよび支持板について説明するための図、図４は、第１の実施形態のランプのカバーについて説明するための図である。
【００１１】
本実施形態のランプは、照明や表示用途に使用される全長６７ｍｍ、直径３５ｍｍ程度の小型のＬＥＤランプであり、ケース１、ＬＥＤモジュール２、ネジ３、カバー４、絶縁ケース５、口金６および点灯回路７で構成されている。なお、本実施形態では、ランプの中心軸において、口金６から見てカバー４が位置している方向を一端側、カバー４から見て口金６が位置している方向を他端側と称するとともに、ランプの中心軸に対する垂線において、中心軸に向かう方向を内端側、中心軸から離れる方向を外端側と称して説明する。
【００１２】
ケース１は、熱伝導性に優れた材料、例えばアルミニウムからなる筒であり、周部１１、周部１１の一端側に形成された開口１２、周部１１の他端側に形成され、開口１２と連通する開口１３で構成されている。本実施形態では、ケース１は、内面形状および外面形状が一端側から他端側に向かって直径が小さくなる先細り形状の円筒となっている。
【００１３】
このケース１の周部１１の一端側かつ内端側には、第１の配置部１４が形成されている。第１の配置部１４は、その一端側に平坦な第１の配置面１４１を有している。周部１１の一端側かつ外端側、つまり第１の配置部１４よりも外端側には、第１の配置面１４１よりも他端側に凹んでなり、その一端側に平坦な第２の配置面１５１を有する第２の配置部１５が形成されている。すなわち、第１の配置部１４は、第２の配置面１５１から一端側に突出する円筒を呈している。また、第２の配置部１５は、第２の配置面１５１よりも他端側に凹んでなる溝部１６をさらに備えている。溝部１６は、その周方向の両端が壁で仕切られた溝であり、開口１２を隔てて対向する位置、および周部１１におけるそれらの位置に対する中間位置の合計３カ所に同形状の溝が形成されている。
【００１４】
また、ケース１は、一端側の内壁面に凸部１７を備えている。凸部１７は、半円柱状であり、１２０°の等間隔で３つ形成されている。凸部１７の一端側の略中央には、ネジ穴１７１が形成されている。
【００１５】
ＬＥＤモジュール２は、支持板２１、ＬＥＤ２２、コネクタ受部２３で構成され、ケース１の一端側に配置されている。
【００１６】
支持板２１は、酸化アルミニウムなどのセラミック製またはアルミニウムなどの金属製の円形状の基板であり、ケース１の開口１２をふさぐように、第１の配置面１４１に配置されている。支持板２１は、第１の端部２１１、第２の端部２１２、切欠２１３およびネジ切欠２１４を備えている。
【００１７】
第１の端部２１１は、支持板２１の端部に形成されている。第１の端部２１１は、円形状の支持板２１の一部を切り欠くことで、外端面が第１の配置部１４の外端面と同じ位置か、それよりも内端側に位置する部分である。第２の端部２１２は、支持板２１の端部に形成されている。第２の端部２１２は、外端面が第１の配置部１４の外端面よりも外端側に位置する部分である。すなわち、ケース１（＝周部１１）のその中心Ｃ１を通る外寸をＬ１、第１の配置部１４の外寸をＬ２、支持板２１の中心Ｃ２を通る第１の端部２１１の外寸をＬ３、第２の端部２１２の外寸をＬ４としたとき、Ｌ３≦Ｌ２、かつＬ２＜Ｌ４＜Ｌ１を満足する。切欠２１３およびネジ切欠２１４も、支持板２１の端部に形成されている。本実施形態では、第１の端部２１１と第２の端部２１２は隣接しており、溝部１６と対応する位置に配置されている。ネジ切欠２１４は、ネジ穴１７１と同様に、１２０°の等間隔で３つ形成されている。
【００１８】
ＬＥＤ２２は、光源としての発光ダイオードである。具体的には、パッケージ上に青色の光を放出する発光チップを実装し、その発光チップを覆うように黄色の蛍光体層を被覆してなる発光ダイオードである。本実施形態では、支持板２１の一端側に１６個を直列的に実装している。コネクタ受部２３は、ケースと接続端子を有しており、支持板２１の一端側に配置されている。
【００１９】
ネジ３は、頭部と軸部を有しており、軸部をネジ切欠２１４およびネジ穴１７１に通すとともに、頭部を支持板２１の一端側に引っ掛けることで、ＬＥＤモジュール２をケース１に固定している。
【００２０】
カバー４は、ポリカーボネートを主体とする透明ないし乳白色の透光性の部材であり、ケース１の一端側にＬＥＤ２２を覆うように配設されている。カバー４は、半球状であり、他端側に開口４１および接触面４２を備えている。開口４１の他端側には、内端側に突出する突片部４３を備えており、カバー４の中心Ｃ３を通る突片部４３の外寸をＬ５としたとき、Ｌ３＜Ｌ５＜Ｌ４を満足する。突片部４３は、カバー４の開口４１よりも他端側にも突出している。すなわち、突片部４３は、カバー４の開口４１付近の内壁面に、接触面４２を跨るように設けられたツメである。本実施形態では、突片部４３は、溝部１６と同様に、開口１２を隔てて対向する位置、および周部１１におけるそれらの位置に対する中間位置の合計３カ所に形成されている。
【００２１】
絶縁ケース５は、電気絶縁性に優れた円筒状の樹脂ケースである。絶縁ケース５は、本体部５１と突出部５２とで構成されている。本体部５１は、ケース１の内部に、ケース１の内面に密着するように配置される部分である。つまり、本体部５１の外面形状は、ケース１の内面形状と同じ形状になっており、一端側から他端側に向けて先細りの形状で、かつ凸部１７と嵌合する凹部（図示なし）を備えた形状になっている。突出部５２はケース１の開口１３から他端側に突出する部分である。突出部５２は、他端側に壁を有する有底開口の円筒状であり、その壁には中央に穴５２１が形成されている。
【００２２】
口金６は、器具のソケットに装着される部分であり、ランプの他端に設けられている。口金６は、螺旋状部６１、アイレット６２および絶縁部６３で構成されている。螺旋状部６１は、口金６の側面に形成された螺旋状の金属部分である。アイレット６２は、口金６の底面に形成された金属部分である。絶縁部６３は、螺旋状部６１、アイレット６２の間に形成される部分であり、それらを互いに電気的に絶縁している。
【００２３】
点灯回路７は、ＬＥＤモジュール２に所望の電力を供給するための回路であり、絶縁ケース５の内部に収容されている。点灯回路７は、配線基板７１、回路素子７２、受電線７３、給電線７４およびコネクタ７５で構成されている。配線基板７１は、エポキシ等の電気絶縁性を有する基板上に所定の金属配線が設けられた基板であり、基板の面がランプの中心軸に平行になるように、絶縁ケース５の内部に配置されている。回路素子７２は、トランス、コンデンサ、ダイオード等、ＬＥＤ２２を点灯するために必要な素子であり、配線基板７１の一方の面に実装されている。受給線７３は、電力供給を受けるための一対の被覆線であり、穴５２１を介して絶縁ケース５の外部に導出され、一方は螺旋状部６１の内面、他方はアイレット６２の内面に接続されている。給電線７４は、ＬＥＤモジュール２に電力を供給するための一対の被覆線であり、一方は配線基板７１の金属配線と接続されている。コネクタ７５は、給電線７４の他方に接続された給電部材であり、切欠き２１３を介してＬＥＤモジュール２の一端側に導出され、コネクタ受部２３に嵌合される。
【００２４】
以上のランプは、器具側の電源から電力が口金６を介して点灯回路７に供給され、点灯回路７では所望の電力に変換される。その電力がＬＥＤモジュール２に供給されることで、ＬＥＤ２２から白色光が生成され、その白色光はカバーを通過して出光する。
【００２５】
本実施形態のランプの組み立てについて説明する。まず、ケース１の内部に樹脂ケース５を一端側から挿入するようにして配置する。次いで、樹脂ケース５の突出部５２に口金６を装着したのち、配線基板７１がランプの中心軸に沿うように、樹脂ケース５の内部に点灯回路７を配置し、一対の受電部７３を、一方は螺旋状部６１に、他方はアイレット６２に接続する。次に、第１の配置面１４１にＬＥＤモジュール２を配置し、ネジ切欠き２７とネジ穴１７１にネジ３をねじ込んで、支持板２１を第１の配置部１４に固定したのち、コネクタ７５をコネクタ受部２３に嵌め込む。最後に、カバー４をケース１に接続する。
【００２６】
次に、ケース１へのカバー４の接続方法について、図４を参照して詳しく説明する。図５は、なお、この図では、理解しやすくするために、突片部５２の一つにハッチングを付している。
【００２７】
まず、図５（ａ）に示すように、ケース１にカバー４を一端側から接近させ、接触面４２を第２の配置面１５１に接触させるとともに、突片部４３を溝部１６に挿入する。その際、突片部５２の外寸Ｌ５は、第１の端部２１１の外寸Ｌ３よりは大きいが、第２の端部２１２の外寸Ｌ４よりは小さいため、突片部５２が第１の端部２１１の外端側を通るように、ケース１とカバー４の位置関係を調整する必要がある。
【００２８】
接触面４２が第２の配置面１５１に接触し、突片部４３が溝部１６に挿入されたら、図５（ｂ）に示すように、Ｃ３を中心に、カバー４を回動させる。この例では、時計回りに回動させる。すると、突片部４３は、溝部１６にガイドされて、ケース１の第２の配置部１５と支持板２１の第２の端部２１２の間にスライドし、図５（ｃ）に示すように、それらの間に挟まれた状態となる。なお、溝部１６は、その周方向両端の壁は、一方は第１の端部２１１付近、他方は第２の端部２１２付近に形成されている。そのため、突片部４３は第２の配置部１５と第２の端部２１２の間に挟まれたら、それ以上は回動せず、突片部４３が挟持された状態を維持できる。このようにして、カバー４をケース１に接続することができる。また、突片部４３を逆方向に回動し、突片部４３を一端側に引き抜けば、カバー４をケース１から取り外すことも可能である。なお、挟持とは、突片部４３が第２の配置部１５と第２の端部２１２に接触し、ガタツキがないことが最適であるが、その状態が容易に解除されない程度の状態を含むという意味のものである。
【００２９】
以上のように、本実施の形態では、ケース１を、一端側の外端に位置し、一端側に第１の配置面１４１を有する第１の配置部１４、第１の配置部１４よりもさらに外端に位置し、かつ第１の配置面１４１よりも他端側に凹んでなる第２の配置部１５を備える構造とし、カバー４を、他端側に開口４１を備えるとともに、その開口４１の付近に内端側に突出する突片部４３を備えるように構成し、支持板２１を、外端面が第１の配置部１４の外端面と同じ位置か、それよりも内端側に位置し、カバー４をケース１に配設する際に、突片部４３が支持板２１よりも他端側に通過することを可能とする第１の端部２１１、外端面が第１の配置部２４の外端面よりも外端側に位置し、第２の配置部１５との間に突片部４３を挟持することを可能とする第２の端部２１２を備える構造とした。
【００３０】
このように、支持板２１の他端側の外端部を突片部４３の抜け止めとすることで、ランプの外径の影響を受けにくくすることができる。すなわち、小型なため寸法に対する制約が大きいランプであっても、本構造は適用することが可能である。また、ケース１の外寸Ｌ１に対して支持板２１の外寸を大きく確保することができるため、素子配置の自由度や放熱性に貢献することができる。さらに、接着剤を用いることなくケース１とカバー４の固定をすることもできるので、着脱可能とすることができる。なお、第２の端部２１２は、円形状を呈する支持板２１の端部を切り欠くことにより形成すれば容易に構成することができる。
【００３１】
また、ケース１を、支持板２１の第１の端部２１１および第２の端部２１２に対応する第２の配置部１５に、他端側に凹んでなる溝部１６をさらに備える構造にするとともに、突片部４３を、溝部１６に嵌合可能なようにカバー４の開口４１よりも他端側に突出するように構成したことで、回動の際に、突片部４３を溝部１６の側壁でガイドできるとともに、所定以上は回動しないようにすることができる。また、回動後は、突片部４３は、第２の配置部１５、溝部１６および第２の端部２１２で挟持された状態になるため、固定強度を高めることができる。
【００３２】
また、支持板２１に、第１の端部２１１および第２の端部２１２をそれぞれ複数形成するとともに、カバー４に、突片部４３を第１の端部２１１および第２の端部２１２に対応して複数形成したことで、カバー４を回動しやすく、かつケース１との固定強度をさらに高めることができる。
【００３３】
また、光源であるＬＥＤ２２を実装する基板を支持板２１としたことで、支持板２１はＬＥＤモジュール２の基板としての機能と、カバー４を固定する機能の両方を兼ねることになるため、部品数の削減によって構造を簡単にすることができる。
（第２の実施形態）
【００３４】
図６は、本発明の第２の実施形態のランプについて説明するための図である。この第２の実施の形態の各部について、第１の実施形態の各部と同一部分は、同一符号で示し、その説明を省略する。
【００３５】
この実施形態では、第２の配置部１５は、溝部１６を備える代わりに、第１の配置部１４の外寸Ｌ２をカバー４の開口４１の開口径と略同じ大きさにまで大きく形成するとともに、第１の実施形態で溝部１６を形成していた位置に内端側に凹む凹部１８を備えている。また、カバー４は、内端側には突出するが、開口４１よりも他端側には突出しない突片部４３を備えている。なお、突片部４３の突出長さは、凹部１８と同程度である。
【００３６】
第２の実施形態では、ケース１へのカバー４の接続の際に、突片部４３は第１の端部２１１の外端側を通過後、凹部１８に接触し、そして回動させることで、第２の配置部１５と第２の端部２１２の間に狭持されることになる。したがって、第１の実施形態と同様、ケース１とカバー４の取付けを容易に行うことができる。
（第３の実施形態）
【００３７】
図７は、本発明の第３の実施形態のランプについて説明するための図である。
【００３８】
この実施形態では、支持板として、金属製のプレート８を設け、その一端側にＬＥＤモジュール２を配置している。また、ＬＥＤモジュール２のＬＥＤ２２を実装する基板には、熱伝導性に優れ、かつ電気絶縁性にも優れるセラミックからなる基板２１を使用している。
【００３９】
ＬＥＤモジュール２の基板２１にアルミナからなるセラミック等、機械的強度が弱い材料を用いる場合、第１の実施形態と同様に、基板２１がカバー４の固定を兼ねさせようとすると、基板２１が割れる等の不具合が生じる可能性がある。そこで、カバー４の固定にはプレート８をケース１の一端側に設け、そのプレート８の一端側にＬＥＤモジュール２を配置している。
【００４０】
第３の実施形態でも、第１の実施形態と同様、ケース１とカバー４の取付けを容易に行うことができる。
【００４１】
本発明は上記実施態様に限定されるものではなく、種々の変形が可能である。
【００４２】
例えば、光源は、レーザダイオードであってもよいし、発光チップを基板上に直接実装したものでもよい。
【００４３】
周部１１は、ケース１の一端側のみに形成されていてもよい。つまり、ケース１は、一端側は内部に空間を有するが、他端側は内部に空間を有しないようなものであってもよい。また、第１の配置部１４は周部１１における最内端に形成されている必要はなく、周部１１における第１の配置部１４のさらに内端側に別の部位が存在してもよい。第２の配置部１５に関しても同じである。また、第１の配置部１４と第２の配置部１５の間に別の部位が存在していてもよい。
【００４４】
カバー４は、半球状である必要はなく、洋ナシ形状等の非半球状であったり、多面形状であったり、レンズのようなものであってもよい。また、突片部４３は、別体成形、すなわち半球状のカバー４の開口４１に、接着剤等を用いて接合して形成するようにしてもよい。
【００４５】
第１の端部２１１、第２の端部２１２および突片部４３は、周方向に等間隔、例えば支持板２１およびカバー４において１２０°の等間隔で３カ所に設けられていてもよい。また、それらは複数であれば、２カ所や４カ所以上に設けてもよい。
【００４６】
ケース１とカバー４の接続に関して、互いの接触部分に接着剤を形成し、さらに固定を強固にしてもよい。
【００４７】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１  ケース
１１  周部
１２  開口
１４  第１の配置部
１４１  第１の配置面
１５  第２の配置部
１６  溝部
２  ＬＥＤモジュール
２１  支持板
２１１  第１の端部
２１２  第２の端部
２２  ＬＥＤ
４  カバー
４１  開口
４３  突片部
【図１】
2014137897.tif 000003
【図２】
2014137897.tif 000004
【図３】
2014137897.tif 000005
【図４】
2014137897.tif 000006
【図５】
2014137897.tif 000007
【図６】
2014137897.tif 000008
【図７】
2014137897.tif 000009